(57)【要約】【課題】近距離無線通信を用いて通信端末と接続する車載情報端末において、あらかじめ使用する通信端末を設定しておき、設定された通信端末が近距離無線通信のエリア内に存在する場合に、使用する通信端末を選択せずに実行する処理内容をユーザが選択できるようにする。【解決手段】登録されたＩＤ番号を不揮発性メモリ１０７に記憶し、ブルートゥース通信装置１０８の通信エリア内にある通信端末のＩＤ番号の中に、その登録されたＩＤ番号と同一のＩＤ番号がある場合は、制御回路１０２によりそのＩＤ番号の通信端末２００を制御するとともに、メニュー画面を表示モニタ１０６に表示して、ユーザに実行する処理内容を選択させる。【選択図】図２
2004221890.tif 000002
【特許請求の範囲】
【請求項１】
各々異なるＩＤ番号を割り当てられた外部の通信端末と無線通信を行う無線通信手段と、
登録された特定の前記ＩＤ番号を記憶する記憶手段と、
前記無線通信の通信エリア内にある前記通信端末のＩＤ番号を判別する判別手段と、
前記判別手段によりＩＤ番号が判別された通信端末のうち、前記記憶手段に記憶されているＩＤ番号の通信端末を制御し、その通信端末が外部から受信する情報に基づいて各種処理を実行する制御手段と、
前記判別手段により判別されたＩＤ番号の中に、前記記憶手段に記憶されているＩＤ番号と同一のＩＤ番号がある場合、前記制御手段が実行する処理を操作者に選択させるメニュー画面を表示する表示手段とを備えることを特徴とする車載用情報端末。
【請求項２】
請求項１の車載用情報端末において、
前記判別手段により判別されたＩＤ番号の中に、前記記憶手段に記憶されているＩＤ番号と同一のＩＤ番号がない場合、前記判別したＩＤ番号の通信端末に関する情報を前記表示手段に表示し、
前記情報を表示された通信端末のうち、操作者に選択されＩＤ番号が登録された通信端末について、そのＩＤ番号を前記記憶手段に記憶することを特徴とする車載用情報端末。
【請求項３】
請求項１または２の車載用情報端末において、
前記記憶手段に記憶されているＩＤ番号がない場合、前記判別手段により判別されたＩＤ番号の通信端末に関する情報を前記表示手段に表示し、
前記情報を表示された通信端末のうち、操作者に選択されＩＤ番号が登録された通信端末について、そのＩＤ番号を前記記憶手段に記憶することを特徴とする車載用情報端末。
【請求項４】
請求項１〜３のいずれかの車載用情報端末において、
前記無線通信の通信エリア内に前記通信端末がない場合、前記通信端末を探索できなかったことを前記表示手段に表示することを特徴とする車載用情報端末。
【請求項５】
請求項１〜４のいずれかの車載用情報端末において、
前記記憶手段に記憶されたＩＤ番号ごとに優先度を設定し、
前記判別手段により判別された複数のＩＤ番号のうち、少なくとも２つのＩＤ番号が前記記憶手段に記憶されている場合、それらのＩＤ番号をそれぞれ割り当てられた少なくとも２つの通信端末のうちいずれかを前記優先度に基づいて選択し、
前記選択された通信端末を前記制御手段により制御することを特徴とする車載用情報端末。
【請求項６】
請求項１〜５のいずれかの車載用情報端末において、
前記無線通信手段は、ブルートゥース（Ｂｌｕｅｔｏｏｔｈ）方式の無線通信によることを特徴とする車載用情報端末。
【請求項７】
請求項１〜６のいずれかの車載用情報端末において、
車両の現在地を検出する現在地検出手段と、
前記車両の目的地を設定し、前記現在地と前記目的地との間の経路の地図を前記通信端末を介して外部に要求する経路要求手段と、
前記経路要求手段による要求に基づいて外部から配信され、前記通信端末を介して受信した前記地図を記憶する経路記憶手段とをさらに備え、
前記現在地が前記経路記憶手段に記憶している地図の範囲に含まれる場合、その地図を前記表示手段に表示することを特徴とする車載用情報端末。
【発明の詳細な説明】
【０００１】
【発明の属する技術分野】
本発明は、通信によって地図データが配信されるナビゲーション装置などの車載情報端末に関する。
【０００２】
【従来の技術】
携帯電話を接続し、この携帯電話を介して情報センターから各種情報を受信して、ユーザに提供する車載情報端末が知られている。この車載情報端末では、専用のハーネスに接続される携帯電話を制御して使用する（非特許文献１）。
また、ブルートゥースに代表される近距離無線通信を用いて携帯電話と接続し、この携帯電話を介して各種情報を受信して、ユーザに提供する車載電子装置も知られている（特許文献１）。
【０００３】
【非特許文献１】
日産自動車株式会社、「ＭＡＲＣＨ  Ｋ１２型系車  新型車解説書」、２００２年２月版、ｐ．Ｆ−９０−Ｆ−１２３
【特許文献１】
特開２００２−１７６４８６号公報
【０００４】
非特許文献１に記載の車載情報端末では、ハーネスに接続される携帯電話は一つしかないため、このハーネスに接続することで、使用する携帯電話が決定される。しかし、ブルートゥースのような近距離無線通信を用いて携帯電話と接続する場合には、複数の携帯電話が近距離無線通信のエリア内に存在する場合がある。このときには、いずれかの携帯電話を選択して使用することとなるが、特許文献１に記載の車載電子装置では、使用する携帯電話をその都度選択しなければならない。そのため、ユーザは携帯電話を選択した後に、実行する処理内容を選択しなければならない。
【０００５】
本発明は、近距離無線通信を用いて携帯電話などの通信端末と接続する車載情報端末において、あらかじめ使用する通信端末を設定しておき、設定された通信端末が近距離無線通信のエリア内に存在する場合に、使用する通信端末を選択せずに実行する処理内容をユーザが選択できるようにするものである。
【０００６】
【課題を解決するための手段】
請求項１の発明による車載用情報端末は、各々異なるＩＤ番号を割り当てられた外部の通信端末と無線通信を行う無線通信手段と、登録された特定のＩＤ番号を記憶する記憶手段と、無線通信の通信エリア内にある通信端末のＩＤ番号を判別する判別手段と、判別手段によりＩＤ番号が判別された通信端末のうち、記憶手段に記憶されているＩＤ番号の通信端末を制御し、その通信端末が外部から受信する情報に基づいて各種処理を実行する制御手段と、判別手段により判別されたＩＤ番号の中に、記憶手段に記憶されているＩＤ番号と同一のＩＤ番号がある場合、制御手段が実行する処理を操作者に選択させるメニュー画面を表示する表示手段とを備える。
請求項２の発明は、請求項１の車載用情報端末において適用され、判別手段により判別されたＩＤ番号の中に、記憶手段に記憶されているＩＤ番号と同一のＩＤ番号がない場合、判別したＩＤ番号の通信端末に関する情報を表示手段に表示し、情報を表示された通信端末のうち、操作者に選択されＩＤ番号が登録された通信端末について、そのＩＤ番号を記憶手段に記憶するものである。
請求項３の発明は、請求項１または２の車載用情報端末において適用され、記憶手段に記憶されているＩＤ番号がない場合、判別手段により判別されたＩＤ番号の通信端末に関する情報を表示手段に表示し、情報を表示された通信端末のうち、操作者に選択されＩＤ番号が登録された通信端末について、そのＩＤ番号を記憶手段に記憶するものである。
請求項４の発明は、請求項１〜３のいずれかの車載用情報端末において適用され、無線通信の通信エリア内に通信端末がない場合、通信端末を探索できなかったことを表示手段に表示するものである。
請求項５の発明は、請求項１〜４のいずれかの車載用情報端末において適用され、記憶手段に記憶されたＩＤ番号ごとに優先度を設定し、判別手段により判別された複数のＩＤ番号のうち、少なくとも２つのＩＤ番号が記憶手段に記憶されている場合、それらのＩＤ番号をそれぞれ割り当てられた少なくとも２つの通信端末のうちいずれかを優先度に基づいて選択し、選択された通信端末を制御手段により制御するものである。
請求項６の発明は、請求項１〜５のいずれかの車載用情報端末において適用され、無線通信手段は、ブルートゥース（Ｂｌｕｅｔｏｏｔｈ）方式の無線通信によるものである。
請求項７の発明は、請求項１〜６のいずれかの車載用情報端末において適用され、車両の現在地を検出する現在地検出手段と、車両の目的地を設定し、現在地と目的地との間の経路の地図を通信端末を介して外部に要求する経路要求手段と、経路要求手段による要求に基づいて外部から配信され、通信端末を介して受信した地図を記憶する経路記憶手段とをさらに備え、現在地が経路記憶手段に記憶している地図の範囲に含まれる場合、その地図を表示手段に表示するものである。
【０００７】
【発明の実施の形態】
――第１の実施の形態――
本発明によるカーナビゲーション装置を用いた地図情報配信システムの第１の実施の形態を説明する。車両１に搭載されたカーナビゲーション装置（以下、車載機という）１００と通信端末２００は、ブルートゥース（Ｂｌｕｅｔｏｏｔｈ）方式の無線通信により互いに接続される。この通信端末２００は、車載機１００からの制御によって、移動体通信網３００を介して情報配信センター４００と接続される。このとき、ブルートゥース方式による無線通信とは異なる、移動体通信用の電波が用いられる。情報配信センター４００は、通信端末２００より送信されてくる車載機１００からの各種要求を受付け、要求内容に応じて地図データなどの各種情報を通信端末２００に送信して、車載機１００に供給する。また、通信端末２００は、移動体通信網３００を介して図示しない他の通信端末や固定電話等と接続して、音声や各種情報などの送受信を行うこともできる。通信端末２００には、ブルートゥース通信機能を備えた携帯電話やＰＤＡ（Ｐｅｒｓｏｎａｌ  Ｄｉｇｉｔａｌ  Ａｓｓｉｓｔａｎｃｅ）などが用いられる。
【０００８】
図２は車載機１００の構成を表すシステムブロック図である。車両１の現在地を検出する現在地検出装置１０１は、たとえば車両１の進行方位を検出する方位センサ１０１ａ、車速を検出する車速センサ１０１ｂ、ＧＰＳ衛星からのＧＰＳ信号を検出するＧＰＳセンサ１０１ｃ等からなる。制御回路１０２はマイクロプロセッサおよびその周辺回路からなり、ＲＡＭ１０４を作業エリアとしてＲＯＭ１０３に格納された制御プログラムを実行して各種の制御を行う。画像メモリ１０５は表示モニタ１０６に表示するための画像データを格納する。この画像データは道路地図描画用データや各種の図形データ等からなり、図１に示す情報配信センター４００から送信される地図データに基づき、表示モニタ１０６に地図情報を表示する。表示モニタ１０６には、車載機１００の各種設定用の画面、たとえば使用する通信端末の設定用画面なども表示される。なお、表示モニタ１０６にはタッチパネルが用いられており、ユーザが画面上の任意の位置を指等で押して選択することにより、車両の目的地の入力や各種処理の選択などが行われる。
【０００９】
不揮発性メモリ１０７は、情報配信センター４００から受信した地図データなどの各種情報や、通信端末２００のＩＤ番号などを記憶するメモリである。この不揮発性メモリ１０７は、車載機１００の電源を切断しても記憶されたデータを保持することができる。これには、たとえばフラッシュメモリなどが用いられる。ブルートゥース通信装置１０８は、通信端末２００との間でブルートゥース通信を行う装置である。このブルートゥース通信装置１０８を介して、車載機１００より通信端末２００を制御し、制御回路１０２と通信端末２００との間で各種データの送受信を行う。
【００１０】
上述したように、不揮発性メモリ１０７は、登録された通信端末２００のＩＤ番号を記憶している。このＩＤ番号は、通信端末ごとに各々異なる番号が割り当てられている。あらかじめ使用する通信端末２００のＩＤ番号を車載機１００に登録しておくことで、複数の通信端末がブルートゥース通信のエリア内に存在する場合においても、車載機１００は通信端末２００を特定し、これを制御して使用することができる。このとき、車載機１００は、各通信端末からブルートゥース通信により送信されるデータの中に含まれるＩＤ番号を判別し、これにより使用する通信端末２００を特定する。
【００１１】
使用する通信端末の特定は、車載機１００の制御回路１０２において行われる。この通信端末特定処理のフローチャートを図３に示す。このフローチャートは制御回路１０２で実行されるプログラムに基づく処理フローであり、車載機１００に電源を投入して立ち上げるときに実行される。ステップＳ１では、不揮発性メモリ１０７に記憶されているＩＤ番号があるか否か、すなわち、使用する通信端末のＩＤ番号として、何らかのＩＤ番号が登録済みであるか否かを判定する。
登録済みのＩＤ番号がある場合はステップＳ２へ進み、ない場合はステップＳ１０へ進む。
【００１２】
ステップＳ２では、ブルートゥース通信のエリア内に存在する通信端末を探索する。この通信端末の探索は、ブルートゥース通信装置１０８より無線信号を送信し、それに応答して通信端末から送信される無線信号を受信することにより行う。通信端末から無線信号を受信した場合には、探索結果として、その無線信号に含まれる通信端末のＩＤ番号をＲＡＭ１０４に記憶しておく。
【００１３】
ステップＳ３では、ステップＳ２で探索した結果より、ブルートゥース通信のエリア内に、ＩＤ番号を登録済みの通信端末があるか否かを判定する。これは、ステップＳ２でＲＡＭ１０４に記憶したＩＤ番号の中に、不揮発性メモリ１０７に記憶されたＩＤ番号と同一のＩＤ番号があるか否かによって行う。同一のＩＤ番号がある場合はステップＳ４へ進み、ない場合はステップＳ２０へ進む。
【００１４】
ステップＳ４では、ステップＳ２で応答を受信した通信端末、すなわちブルートゥース通信のエリア内にある通信端末のうち、登録済みのＩＤ番号を持つ通信端末を、使用する通信端末として特定する。なお、ステップＳ２で応答を受信した通信端末の中に登録済みのＩＤ番号を持つ通信端末が複数ある場合には、そのうちのいずれか１つを選択して、使用する通信端末として特定する。このとき、たとえばＩＤ番号の登録時にＩＤ番号ごとに優先度を設定しておき、その優先度に基づいて特定する通信端末を選択する。あるいは、ステップＳ２で応答を受信した通信端末のうち、登録済みのＩＤ番号を持つ通信端末を表示モニタ１０６にリスト表示し、そのいずれかをユーザが選択してもよい。
【００１５】
ステップＳ５では、以前に情報配信センター４００から配信された地図データにより、ルートガイド中の現在ルートを表示するか否かを判定する。このとき、不揮発性メモリ１０７に推奨経路とその周辺の地図データが記憶されていて、かつ現在地検出装置１０１により検出した車両の現在地が地図の範囲に含まれる場合は、現在ルートを表示すると判定する。そうでない場合は、表示しないと判定する。現在ルートを表示すると判定した場合はステップＳ６へ進み、表示しないと判定した場合はステップＳ７へ進む。
【００１６】
ステップＳ６では、不揮発性メモリ１０７に記憶されている推奨経路と地図データに基づき、ルートガイド中の現在ルートとして、図４に示すルート画面を表示モニタ１０６に表示する。図４のルート画面では、符号４０に示す図形により車両１の現在地を表し、推奨経路の表示色を他の道路と変えることにより、符号４１に示す経路を表している。ステップＳ６で図４のようなルート画面を表示すると、図３に示す処理フローを終了して、車両１のナビゲーションのために行う他のさまざまな処理に移行する。本実施の形態においては、これらの処理の詳細については、説明を省略する。なお、図４に示すルート画面は一例であり、車両１の位置や推奨経路などの違いによって、異なる表示画面となる。
【００１７】
ステップＳ７では、図５に示すメニュー画面を表示モニタ１０６に表示する。
図５のメニュー画面において、符号５０〜５９に示す各種のアイコンがユーザにより選択されると、図３に示す処理フローを終了して、選択されたアイコンに応じた処理をそれぞれ実行する。たとえば、アイコン５２を選択された場合は、目的地の設定や地図の要求などを行う処理を実行するが、本実施の形態においては、これらの処理の詳細については、説明を省略する。このようにメニュー画面を表示することにより、ステップＳ７では車載機１００のナビゲーション機能を有効にし、各種の処理を実行できるようにする。
【００１８】
ステップＳ１０では、図６に示す初期登録画面を表示モニタ１０６に表示する。この画面により、ＩＤ番号が何も登録されておらず、使用できる通信端末がないことをユーザに通知して、使用する通信端末のＩＤ番号の登録を促す。
【００１９】
ステップＳ１１では、通信端末の探索要求があるか否かを判定する。このとき、ユーザにより図６の初期登録画面の探索開始ボタン６０が選択されると、通信端末の探索要求があると判定し、ステップＳ１２へ進む。探索開始ボタン６０が選択されない間は、通信端末の探索要求がないと判定して、図６の初期登録画面の表示を続け、ステップＳ１１を繰り返す。
【００２０】
ステップＳ１２では、ステップＳ２と同様の方法により、ブルートゥース通信のエリア内にある通信端末を探索する。通信端末から無線信号を受信して探索が成功した場合には、その通信端末のＩＤ番号をＲＡＭ１０４に記憶しておく。
【００２１】
ステップＳ１３では、ステップＳ１２で探索した結果より、ブルートゥース通信のエリア内に通信端末があるか否かを判定する。ステップＳ１２で探索が成功し、ＲＡＭ１０４に何らかのＩＤ番号を記憶した場合は、ブルートゥース通信のエリア内に通信端末があると判定し、ステップＳ２１へ進む。そうでない場合は、ステップＳ１２へ戻る。
【００２２】
ステップＳ２０では、登録済みのＩＤ番号以外のＩＤ番号を持つ通信端末を、ステップＳ２において探索できたか否かを判定する。ステップＳ２でＲＡＭ１０４に何らかのＩＤ番号を記憶しており、そのＩＤ番号が不揮発性メモリ１０７に記憶されたＩＤ番号と同一でない場合は、登録済みのＩＤ番号以外のＩＤ番号を持つ通信端末を探索できたと判定し、ステップＳ２１へ進む。そうでない場合は、探索できなかったと判定し、ステップＳ２へ戻る。このとき、表示モニタ１０６に通信端末を探索できなかったことを表示する。
【００２３】
ステップＳ２１では、ステップＳ２またはＳ１２で探索されてＩＤ番号をＲＡＭ１０４に記憶された通信端末に関する情報を、図７に示す端末情報画面により表示モニタ１０６に表示する。ステップＳ２またはＳ１２で複数の通信端末を探索できた場合は、図８に示す端末リスト画面により、探索された機器を表示モニタ１０６にリスト表示する。図８のリスト８０〜８２には、探索できた通信端末の名称をそれぞれ表示している。これらのリストのうちいずれかがユーザの操作により選択されると、選択された通信端末に関する情報を、図７の端末情報画面により表示する。なお、図８のリスト８３は空欄であり、これが選択されても、図７の端末情報画面は表示されない。ステップＳ２またはＳ１２で探索できた通信端末の数によって、図８の空欄の数は変化する。
【００２４】
図８の符号８４および８５に示すボタンは画面のスクロールボタンであり、ボタン８４が選択されると上方向へのスクロール、ボタン８５が選択されると下方向へのスクロールを行う。ステップＳ２またはＳ１２で探索した通信端末を図８の端末リスト画面に表示しきれない場合には、ユーザはこれらのスクロールボタンを選択して画面を上または下方向にスクロールさせ、選択したい通信端末を表示させる。
【００２５】
ステップＳ２２では、通信端末の登録要求があるか否かを判定する。このとき、ユーザにより図７の端末情報画面の登録ボタン８０が選択されると、通信端末の登録要求があると判定し、ステップＳ２３へ進む。登録ボタン８０が選択されない間は、通信端末の登録要求がないと判定して、図７の端末情報画面の表示を続け、ステップＳ２１を繰り返す。
【００２６】
ステップＳ２３では、ステップＳ２２で登録要求があると判定した通信端末について、図９に示す登録画面を表示モニタ１０６に表示する。この登録画面において、符号９０に示す数字ボタンのそれぞれがユーザにより選択されると、選択されたボタンに対応する数字を順に符号９１に示すＩＤ番号表示部に表示する。
ユーザは、この数字ボタン９０のそれぞれを順次選択することにより、登録するＩＤ番号をＩＤ番号表示部９１に入力する。このようにして、ステップＳ２２で登録要求があると判定した通信端末の正しいＩＤ番号がユーザにより入力され、符号９３に示す入力完了ボタンが選択されると、このＩＤ番号が登録される。登録されたＩＤ番号を不揮発性メモリ１０７に記憶した後、ステップＳ２３を終了し、ステップＳ４へ進む。
【００２７】について、
なお、ステップＳ２２でユーザにより選択された通信端末のＩＤ番号と異なるＩＤ番号が入力されているときに、ユーザにより入力完了ボタン９３が選択されても、入力されたＩＤ番号は登録されない。このようなとき、ユーザにより符号９２に示す消去ボタンが選択されると、ＩＤ番号表示部９１に入力されたＩＤ番号の末尾の数字を削除する。ユーザは、間違えたＩＤ番号を入力した場合、この消去ボタン９２を選択することで、ＩＤ番号を訂正できる。
【００２８】
以上のようにしてＩＤ番号を登録することにより、車載機１００で使用する通信端末が特定される。車載機１００はこの特定された通信端末を用いて、情報配信センター４００へ経路探索要求を行ったり、情報配信センター４００から地図データを受信したりする。
【００２９】
図１０は情報配信センター４００の構成を表すシステムブロック図である。情報配信センター４００は、外部インタフェース４０１を介して移動体通信網３００と接続される。要求受付サーバ４０２は、外部インタフェース４０１を通して送られてくる経路探索などの要求を受付け、後述する各サーバに対して経路探索要求、地図要求などそれぞれの処理を実行するよう要求する。また、各サーバから出力される処理結果を外部インタフェース４０１へ出力する。
【００３０】
地図配信サーバ４０３は地図データをハードディスクなどの記憶メディアに記憶しており、要求受付サーバ４０２からの地図要求にしたがって、記憶された地図データより該当する地図データを検索し、要求受付サーバ４０２へ出力する。
経路探索サーバ４０４は、位置情報検索サーバ４０５からの自車位置情報や交通情報サーバ４０６からの交通情報データベースなどより、要求受付サーバ４０２からの経路探索要求にしたがって、該当する経路を探索しその結果を出力する。
位置情報検索サーバ４０５はまた、所定地点付近の施設情報などを検索する機能も備えている。交通情報サーバ４０６は、現在の交通情報のデータベースを保持している。顧客ＤＢサーバ４０７は、車載機１００を所有する顧客の個人データを保持するとともに、情報配信センター４００の利用状況に応じて個人データの更新を行う。個人データには、たとえば課金情報などが含まれる。
【００３１】
経路探索要求時のデータの流れを図１１に示す。車載機１００は、ユーザの表示モニタ１０６の操作によって目的地が設定されると、経路探索要求を発する。
車載機１００から発せられた経路探索要求は、通信端末２００および移動体通信網３００を介して情報配信センター４００に送信される。情報配信センター４００で受信した経路探索要求は、いったん外部インタフェース４０１を通過した後に要求受付サーバ４０２に入力され、ここで内容が認識される。要求受付サーバ４０２では、まず経路探索サーバ４０４へ経路探索要求を行う。経路探索サーバ４０４は、位置情報検索サーバ４０５からの自車位置情報や交通情報サーバ４０６からの交通情報を基に経路探索を行い、経路探索結果を要求受付サーバ４０２へ返信する。経路探索サーバ４０４からの経路探索結果を受け取った要求受付サーバ４０２は、次にその経路についての地図要求を地図配信サーバ４０３へ出力する。地図配信サーバ４０３は、後述する方法により経路に沿った一定範囲を切り出した地図情報を、記憶された地図データから抽出し、要求受付サーバ４０２へ返信する。
【００３２】
このようにして、地図情報を得た要求受付サーバ４０２は、経路探索結果の経路誘導データと地図情報データを外部インタフェース４０１に出力する。出力されたデータは移動体通信網３００および通信端末２００を介して、車載機１００へ送信される。車載機１００では送信された情報を画像表示してユーザへ提供する。このようにして経路探索の一連の処理が完了する。
【００３３】
設定した経路に沿った一定範囲、すなわち推奨経路から所定の距離内にある切り出し領域内の地図を切り出す方法を図１２に示す。車載機１００において目的地が設定されると、経路探索サーバ４０４は現在地１２２と目的地１２３を設定し、その間をつなぐ推奨経路１２４が周知の経路探索演算処理により設定される。この経路における切り出し範囲１２５は、たとえば図中に網がけで示す範囲のように経路１２４から一定範囲内の部分として設定される。また、現在地１２２と目的地１２３の周辺では、他の経路上よりも広い範囲が設定される。この切り出し範囲１２５の領域内にある地図データが、地図を一定範囲ごとに区切ったメッシュ１２１の各メッシュごとに抽出され、地図情報データとして情報配信センター４００から車載機１００に配信される。
【００３４】
このようにして、配信された地図情報データに基づき、車載機１００は推奨経路から所定の距離内にある地図を表示モニタ１０６に表示する。この表示された地図に基づき、ユーザを目的地まで誘導する。
【００３５】
なお、上述の説明では、表示モニタ１０６にタッチパネルを用いることとしたが、本発明はこの内容に限定されない。たとえば表示モニタ１０６を液晶パネルとし、車載機１００に備えられた入力装置によって、画面上の特定の部位を選択するようにしてもよい。表示モニタ１０６は地図や各種の設定画面を表示でき、さらに車載機１００は画面上の特定の部位を選択する手段を備える限り、どのような構成でも用いることができる。
【００３６】
上述した第１の実施の形態による車載用情報端末によれば、次の作用効果が得られる。
（１）登録されたＩＤ番号を不揮発性メモリ１０７に記憶し、ブルートゥース通信装置１０８の通信エリア内にある通信端末のＩＤ番号を判別して、その中に登録されたＩＤ番号と同一のＩＤ番号がある場合は、制御回路１０２によりそのＩＤ番号の通信端末２００を制御するとともに、メニュー画面を表示モニタ１０６に表示して、ユーザに実行する処理内容を選択させることとした。その結果、使用する通信端末のＩＤ番号を一度登録しておけば、使用する度ごとに通信端末を選ぶ必要がなくなり、すばやく処理内容を選択できる。
（２）ブルートゥース通信装置１０８の通信エリア内にある通信端末のＩＤ番号の中に、不揮発性メモリ１０７に記憶しているＩＤ番号と同一のＩＤ番号がない場合は、その通信エリア内にある通信端末に関する情報を表示する。ユーザがいずれかの通信端末を選択してＩＤ番号を登録すると、ユーザにＩＤ番号を登録された通信端末について、そのＩＤ番号を不揮発性メモリ１０７に記憶することとした。その結果、ＩＤ番号を登録していない通信端末を使用するとき、すばやくそのＩＤ番号を登録して使用できる。
（３）不揮発性メモリ１０７に記憶しているＩＤ番号がない場合は、ブルートゥース通信装置１０８の通信エリア内にある通信端末のＩＤ番号に関する情報を表示する。ユーザがいずれかの通信端末を選択してＩＤ番号を登録すると、ユーザにＩＤ番号を登録された通信端末について、そのＩＤ番号を不揮発性メモリ１０７に記憶することとした。その結果、新たに通信端末のＩＤ番号を登録するとき、すばやく登録できる。
（４）ブルートゥース通信装置１０８の通信エリア内に通信端末がない場合は、通信端末を探索できなかったことを表示モニタ１０６に表示することとした。その結果、通信エリア内に通信端末がなく、使用する通信端末が設定されていないことを認識できる。
（５）ユーザに登録され不揮発性メモリ１０７に記憶されているＩＤ番号ごとに優先度を設定し、ブルートゥース通信装置１０８の通信エリア内にある通信端末のＩＤ番号の中に、その登録されたＩＤ番号と同一のＩＤ番号が複数ある場合は、それらのＩＤ番号をそれぞれ割り当てられた複数の通信端末のうちいずれかを優先度に基づいて選択し、選択された通信端末を制御回路１０２により制御することとした。その結果、通信エリア内にＩＤ番号を登録した通信端末が複数あるとき、それらのうちのいずれかを優先的に使用することができる。
（６）通信端末２００との無線通信は、ブルートゥース方式の無線通信によることとした。その結果、通信端末２００との無線通信に用いる装置のコストを削減できる。
（７）現在地検出装置１０１により車両の現在地を検出し、現在地と設定された目的地との間の経路の地図を情報配信センター４００に要求し、この要求に基づいて配信された地図を不揮発性メモリ１０７に記憶して、現在地がこの地図の範囲に含まれる場合、この地図を表示モニタ１０６に表示することとした。その結果、配信地図を用いたルートガイド中に電源を切断して再度立ち上げたとき、ルートガイド画面をすばやく表示することができる。
【００３７】
以上の実施の形態では、配信された地図を無線接続された通信端末により受信し表示するナビゲーション装置について説明したが、本発明は、通信端末と無線通信によりデータを送受信する種々の車載用情報端末に適用できる。また、以上の実施の形態では、無線通信手段をブルートゥース通信装置１０８、記憶手段を不揮発性メモリ１０７、判別手段および制御手段を制御回路１０２、表示手段を表示モニタ１０６で実現している。さらに、現在地検出手段を現在地検出装置１０１、経路要求手段を制御回路１０２、経路記憶手段を不揮発性メモリ１０７で実現している。しかし、これらはあくまで一例であり、本発明の特徴が損なわれない限り、各構成要素は上記実施の形態に限定されない。
【００３８】
【発明の効果】
本発明によれば、登録されたＩＤ番号の通信端末が近距離無線通信の通信エリア内にある場合は、この通信端末を制御して使用するとともに、メニュー画面を表示して、ユーザに実行する処理内容を選択させることとした。その結果、使用する通信端末のＩＤ番号を一度登録しておけば、使用する度ごとに通信端末を選ぶ必要がなくなり、すばやく処理内容を選択できる。
【図面の簡単な説明】
【図１】地図情報配信システムの構成を示すブロック図
【図２】車載機の構成を示すブロック図
【図３】車載機における通信端末の設定の処理を示すフローチャート
【図４】ルート画面の表示例
【図５】メニュー画面の表示例
【図６】初期登録画面の表示例
【図７】端末情報画面の表示例
【図８】端末リスト画面
【図９】登録画面
【図１０】地図情報配信システムにおける情報配信センターの構成を示すブロック図
【図１１】経路探索要求時のデータの流れを示す図
【図１２】経路に沿った一定範囲内の地図を切り出す方法を示す図
【符号の説明】
１  車両
１００  車載機
２００  通信端末
３００  移動体通信網
４００  情報配信センター
【図１】
2004221890.tif 000003
【図２】
2004221890.tif 000004
【図３】
2004221890.tif 000005
【図４】
2004221890.tif 000006
【図５】
2004221890.tif 000007
【図６】
2004221890.tif 000008
【図７】
2004221890.tif 000009
【図８】
2004221890.tif 000010
【図９】
2004221890.tif 000011
【図１０】
2004221890.tif 000012
【図１１】
2004221890.tif 000013
【図１２】
2004221890.tif 000014